(57)【要約】【課題】多孔質材による詰まりを防止し、ペット用飲料器の使い勝手を向上できるキャップ体を提供する。【解決手段】給水器本体３の取付筒部３６と給水具５の給水口５２との間に、多孔質材６の外径寸法より小さな内径寸法の挿通口１５を有するキャップ体１を取り付ける。飲料水Ｗとともに多孔質材６を給水具５に充填した場合であっても、多孔質材６による給水器本体３、特に給水管３８の目詰まりを防止できる。給水具５に充填した飲料水Ｗを多孔質材６が浄化し水質の悪化を抑制できる。飲料水Ｗの使用可能期間を長期化でき交換作業を少なくできるとともに、気温が高い環境下で長時間に亘って放置した場合等に生じる、飲料水Ｗの水質の悪化を防止できる。【選択図】図１
0003194264.tif 000002
【実用新案登録請求の範囲】
【請求項１】
開口を有し飲料水が充填される容器と、
前記容器の開口より小さな外径寸法を有し前記容器内に充填される多孔質材と、
前記容器の開口が着脱可能に接続される接続口、および前記容器に充填した飲料水を放出するための給水管を有する給水器本体と、
を備えたペット用給水器に用いられるキャップ体であって、
前記容器の開口と前記給水器本体の接続口との間に取り付け可能に形成されたキャップ本体と、
前記キャップ本体に設けられ、前記多孔質材の通過を阻止しつつ前記飲料水を通過させる連通部と、
を具備したことを特徴とするペット用給水器用キャップ体。
【請求項２】
請求項１記載のペット用給水器用キャップ体において、
前記ペット用給水器は、前記容器の開口の外周に設けられたねじ溝を、前記給水器本体の接続口の内周に設けられたねじ溝にねじ止めすることによって、これら開口と接続口とが接続される構成であり、
前記キャップ本体は、前記給水器本体の接続口に嵌合可能な大きさに形成され、この接続口に嵌合させた状態で、前記容器の開口が接続される
ことを特徴とするペット用給水器用キャップ体。
【請求項３】
請求項１または２記載のペット用給水器用キャップ体において、
前記キャップ本体は、このキャップ本体の中心部に設けられ前記容器の開口に嵌合可能な有底円筒状の嵌合凸部を有し、
前記連通部は、前記嵌合凸部の底部に設けられている
ことを特徴とするペット用給水器用キャップ体。
【請求項４】
請求項１〜３のいずれかに記載のペット用給水器用キャップ体において、
前記多孔質材は、前記飲料水を浄化する機能を有する球状のセラミックボールである
ことを特徴とするペット用給水器用キャップ体。
【考案の詳細な説明】
【技術分野】
【０００１】
本考案は、例えばペットボトル等の給水具が着脱可能に取り付けられるペット用給水器用のキャップ体に関する。
【背景技術】
【０００２】
従来、この種のペット用給水器としては、例えば下記特許文献１に記載の携帯式ペット用飲料水器が知られている。本携帯式ペット用飲料器は、例えば飲料水を容器１０に注いだ状態で、この容器１０のネジ山１０２が設けられた容器口１０１に、制水アセンブリ８０を取り付けて用いるものである。特に、この携帯式ペット用飲料器は、制水アセンブリ８０に設けられた制水菅３０を上下に移動させることによって、下向き又は傾けた際の飲料水の漏れを防止する構成となっている。
【先行技術文献】
【特許文献】
【０００３】
【特許文献１】実用新案登録第３０９５０３１号公報
【考案の概要】
【考案が解決しようとする課題】
【０００４】
しかしながら、上記特許文献１に記載の携帯式ペット用飲料器においては、容器１０に注がれた飲料水を浄化等する機能が設けられていない。このため、例えば気温が高い環境下で長時間に亘って放置した場合等には、容器１０内の飲料水中に大腸菌等の微生物が発生する等して水質が悪化し、ペットの飲料水として適切な水質を維持できないおそれがある。
【０００５】
これに対し、この種のペット用飲料器の容器内に、飲料水の水質の悪化を防止するための多孔質材等を飲料水とともに充填することも考えられるが、一般に、この種の多孔質材は、容器の口から充填するため、容器を下向き又は傾けてペットに飲料水を与える場合に、容器内に充填した多孔質材が、ペット用飲料器の飲料水の通路に詰まってしまい、ペット用飲料器としての使い勝手を悪化させてしまうおそれがある。
【０００６】
そこで本考案は、従来技術における上記問題を解決し、多孔質材による詰まりを防止し、ペット用飲料器の使い勝手を向上できるキャップ体を提供することを目的とする。
【課題を解決するための手段】
【０００７】
この課題を解決するため、請求項１にかかる本考案は、開口を有し飲料水が充填される容器と、前記容器の開口より小さな外径寸法を有し前記容器内に充填される多孔質材と、前記容器の開口が着脱可能に接続される接続口、および前記容器に充填した飲料水を放出するための給水管を有する給水器本体と、を備えたペット用給水器に用いられるキャップ体であって、前記容器の開口と前記給水器本体の接続口との間に取り付け可能に形成されたキャップ本体と、前記キャップ本体に設けられ、前記多孔質材の通過を阻止しつつ前記飲料水を通過させる連通部と、を具備したペット用給水器用キャップ体である。
【０００８】
そして、このように構成したことにより、容器に充填した飲料水を給水器本体の給水管から放出する場合に、キャップ体の連通部によって、容器内からの多孔質材の通過が阻止されつつ、容器内の飲料水のみが通過していく。したがって、給水器本体の接続口と容器の開口との間にキャップ体を取り付け、給水器本体と容器とを接続することにより、容器内に飲料水とともに充填した多孔質材による給水管の詰まりを防止できる。よって、ペット用給水器の使い勝手を向上できる。
【０００９】
請求項２は、請求項１のペット用給水器用キャップ体において、前記ペット用給水器は、前記容器の開口の外周に設けられたねじ溝を、前記給水器本体の接続口の内周に設けられたねじ溝にねじ止めすることによって、これら開口と接続口とが接続される構成であり、前記キャップ本体は、前記給水器本体の接続口に嵌合可能な大きさに形成され、この接続口に嵌合させた状態で、前記容器の開口が接続される、ことを特徴とする。
【００１０】
そして、このように構成したことにより、キャップ体のキャップ本体を給水器本体の接続口に嵌合させてから、給水器本体の接続口の内周に設けられたねじ溝と、容器の開口の外周に設けられたねじ溝とをねじ止めする。この結果、給水器本体の接続口と容器の開口との間にキャップ体を取り付けつつ、接続口と開口とを接続できる。よって、キャップ体を介在させた給水器本体の接続口と容器の開口との接続をより容易にできる。
【００１１】
請求項３は、請求項１または２のペット用給水器用キャップ体において、前記キャップ本体は、このキャップ本体の中心部に設けられ前記容器の開口に嵌合可能な有底円筒状の嵌合凸部を有し、前記連通部は、前記嵌合凸部の底部に設けられている、ことを特徴とする。
【００１２】
そして、このように構成したことにより、飲料水および多孔質材を容器に充填してから、容器の開口にキャップ体の嵌合凸部を嵌合することによって、容器の開口からの多孔質材の飛び出しを防止できる。また同時に、容器の開口にキャップ体の嵌合凸部を嵌合させた状態で、容器の開口を給水器本体の接続口に接続することによって、給水器本体の接続口と容器の開口との間にキャップ体を介在させて、接続口と開口とを接続できる。よって、キャップ体を介在させた接続口と開口との接続作業をより容易にできる。
【００１３】
請求項４は、請求項１〜３のいずれかのペット用給水器用キャップ体において、前記多孔質材は、前記飲料水を浄化する機能を有する球状のセラミックボールである、ことを特徴とする。
【００１４】
そして、このように構成したことにより、飲料水とともに容器に充填した球状のセラミックボールによって、容器内の飲料水を浄化できる。よって、容器に飲料水を充填した状態で、例えば気温が高い環境下で長時間に亘って放置した場合等に生じる、容器内の飲料水の水質の悪化を防止できる。また同時に、球状のセラミックボールとしたことにより、容器へ充填する際や、容器から取り出す際の多孔質材の取扱いが容易になる。
【考案の効果】
【００１５】
本考案によれば、容器に充填した飲料水を給水器本体の給水管から放出する場合に、キャップ体の連通部によって、多孔質材の通過が阻止され飲料水のみが通過していくため、多孔質材による給水管の詰まりを防止でき、ペット用給水器の使い勝手を向上できる。そして、前述した以外の課題、構成および効果は、以下の実施形態の説明より明らかにされる。
【図面の簡単な説明】
【００１６】
【図１】本考案の第１実施形態に係るペット用給水器用キャップ体をペット用給水器に取り付けた状態を示す断面図である。
【図２】上記ペット用給水器の使用状態を示す斜視図である。
【図３】上記ペット用給水器用キャップ体を示す図で、（ａ）は斜視図、（ｂ）は平面図である。
【図４】上記ペット用給水器用キャップ体を、他のペット用給水器に取り付けた状態を示す断面図である。
【図５】本考案の第２〜第５実施形態に係るペット用給水器用キャップ体の平面図で、（ａ）は第２実施形態、（ｂ）は第３実施形態、（ｃ）は第４実施形態、（ｄ）は第５実施形態である。
【図６】本考案の第６〜第７実施形態に係るペット用給水器用キャップ体の平面図で、（ａ）は第６実施形態、（ｂ）は第７実施形態である。
【考案を実施するための形態】
【００１７】
（第１実施形態）
本考案の第１実施形態に係るペット用給水器用キャップ体１（以下、単に「キャップ体１」という。）について、図１〜図３を参照して説明する。図１は、本考案の第１実施形態に係るキャップ体１をペット用給水器２に取り付けた状態を示す断面図である。図２は、ペット用給水器２の使用状態を示す斜視図である。図３は、キャップ体１を示す図で、（ａ）は斜視図、（ｂ）は平面図である。
【００１８】
＜全体構成＞
本第１実施形態に係るキャップ体１が用いられるペット用給水器２は、図１および図２に示すように、例えばペット用のゲージＡに取り付けるための給水器本体３と、この給水器本体３をゲージＡに固定するための取付ねじ４と、給水器本体３に着脱可能に取り付けられる給水具５と、給水具５に充填する多孔質材６とを備え、給水器本体３と給水具５との間にキャップ体１を介在させて用いられる。キャップ体１、給水器本体３および取付ねじ４のそれぞれは、合成樹脂製である。
【００１９】
給水器本体３は、取付ねじ４を取り付けるための本体部３１を有している。本体部３１の一側部には、給水具５を保持するための保持部３２が設けられている。本体部３１の他側部、すなわち保持部３２が設けられている側の反対側には、平坦な接触面部３３が設けられている。接触面部３３の中心位置には、内周面にねじ溝、すなわち雌ねじ３４が形成された取付凹部３５が設けられている。
【００２０】
取付ねじ４は、略円盤状の基部４１を有する。基部４１の一側面である外側面には、基部４１を周方向に回転させる際に使用者が把持するためのつまみ４２が設けられている。基部４１の他側面、すなわちつまみ４２が設けられている側の反対側である内側面の中心位置には、外周面にねじ溝、すなわち雄ねじ４３が形成された略円柱状のねじ部４４が同軸上に突設している。ねじ部４４は、給水器本体３の取付凹部３５に取り外し可能にねじ止めできる形状となっている。
【００２１】
給水具５は、例えば、市販されている５００ｍｌ入りのペットボトル飲料用の空ペットボトル等の給水容器であって、有底円筒状の容器本体５１を有する。容器本体５１の軸方向の一端部（図１の下端部）は縮径しており、この縮径した一端部の中心位置には、容器本体５１に飲料水Ｗ等を充填または放出するための略円筒状の開口である給水口５２が同軸上に設けられている。給水口５２の外周面には、ねじ溝、すなわち雄ねじ５３が形成されている。
【００２２】
多孔質材６は、球状のセラミックボールであって、給水具５の容器本体５１に飲料水Ｗとともに複数個が充填され、容器本体５１に充填された飲料水Ｗを浄化、すなわち水質の悪化を防止する機能を有する濾材でもある高性能活水セラミックにて形成されている。多孔質材６は、給水具５の給水口５２から充填および取り出し可能となるように、給水口５２の内径寸法より小さく、給水口５２の内径寸法の２分の１より大きな外径寸法に形成されている。
【００２３】
多孔質材６は、天然のミネラル、酵素、アミノ酸等を含む海洋性珪藻土にて形成されており、イオン交換作用、殺菌作用および消臭作用を有している。多孔質材６は、飲料水Ｗ中に大量の酸素を含ませるとともに、飲料水Ｗ中の不純物を吸着分解する天然活水作用を有している。また、多孔質材６は、飲料水Ｗ中に種々のミネラルを放出し、飲料水Ｗ中での好気性微生物の繁殖を促進させ、飲料水Ｗ中のアンモニア等の有害物質を無害化させる。
【００２４】
具体的に、多孔質材６は、海底地層に存在する軟質多孔性古代海洋腐植質とＳｉ６Ｏ１８とから成る焼成バイオセラミックであり、軟質多孔性古代海洋腐植質とＳｉ６Ｏ１８とを混合し、高圧下で球状に成型した後、電気炉内（１０００℃以上）等において焼結することにより成る２５０ｍ２／ｇの表面積を有する多孔質の物質である。
【００２５】
軟質多孔性古代海洋腐植質は、例えば無水珪酸（ＳｉＯ２）５５．００％、アルミニウム（Ａｌ）１３．００％、酸化鉄（ＦｅＯ）４．１０％、カルシウム（Ｃａ）３．６０％、マグネシウム（Ｍｇ）１．６０％、硫黄（Ｓ）１．１０％、カリウム（Ｋ）０．１７３％、チタン（Ｔｉ）０．１６０％、リン（Ｐ）０．０７０％、コバルト（Ｃｏ）０．０６０％、ナトリウム（Ｎａ）０．０５０％、マンガン（Ｍｎ）０．０４０％、ストロンチウム（Ｓｒ）０．００７％、バリウム（Ｂａ）０．００７％、錫（Ｓｎ）０．００６％、亜鉛（Ｚｎ）０．００６％、バナジウム（Ｖ）０．００３％、ポロリウム（Ｐｏ）０．００３％、ニッケル（Ｎｉ）０．００２％、銅（Ｃｕ）０．００１％等の成分を含有する。軟質多孔性古代海洋腐植質は、モンモリロナイト（Ｎａ２／３Ｓｉ８（Ａｌ１０／３Ｍｇ２／３）Ｏ２０・（ＯＨ）４）と同様の成分を有し、表面に負電荷をもつ陽イオン（Ｋ＋、Ｃａ２＋、Ｍｇ２＋、Ｎａ＋等）を吸着し、これら陽イオンを徐々に放出する性質を有している。
【００２６】
多孔質材６は、蒸留循環水内に２時間浸漬させることにより、無水珪酸（ＳｉＯ２）６．６ｍｇ／ｌ、アルミニウム（Ａｌ）０．７６ｍｇ／ｌ、鉄（Ｆｅ）０．０５ｍｇ／ｌ、カルシウム（Ｃａ）１８ｍｇ／ｌ、マグネシウム（Ｍｇ）０．６４ｍｇ／ｌ、カリウム（Ｋ）０．６８ｍｇ／ｌ、チタン（Ｔｉ）０．１ｍｇ／ｌ、リン（Ｐ）０．１３ｍｇ／ｌ、コバルト（Ｃｏ）０．０１ｍｇ／ｌ、ナトリウム（Ｎａ）１．７ｍｇ／ｌ、マンガン（Ｍｎ）０．０１ｍｇ／ｌ、バリウム（Ｂａ）０．０１ｍｇ／ｌ、亜鉛（Ｚｎ）０．０１ｍｇ／ｌ、錫（Ｓｎ）０．１ｍｇ／ｌ、バナジウム（Ｖ）０．１ｍｇ／ｌ、ニッケル（Ｎｉ）０．０１ｍｇ／ｌ、銅（Ｃｕ）０．０１ｍｇ／ｌを溶出する。
【００２７】
一方、給水器本体３の保持部３２は、上方が開口した略有底円筒状に形成されている。保持部３２の上側の開口は、給水具５の給水口５２を着脱可能に接続して固定するための接続口である取付筒部３６となっている。取付筒部３６の内周面には、ねじ溝、すなわち雌ねじ３７が形成されている。取付筒部３６は、給水具５の給水口５２の外径寸法に略等しい内径寸法に形成され、給水具５の給水口５２の雄ねじ５３を、取付筒部３６の雌ねじ３７に取り外し可能にねじ止めできる形状となっている。
【００２８】
保持部３２の下部の本体部３１側には、保持部３２内に貫通する略円筒状の給水管３８が取り付けられている。給水管３８は、給水具５の容器本体５１内に充填した飲料水Ｗを放出するためのものであり、本体部３１側に向けて斜め下方に向けて突出した状態として取り付けられている。給水管３８の下端部である先端部には、ステンレス管７がねじ止めされて取り付けられている。ステンレス管７は、先端部が縮径している。ステンレス管７の先端部の中心位置には、小孔状の供給口７１が設けられている。ステンレス管７の先端部内には、ボール弁７２が取り付けられている。ボール弁７２は、ステンレス管７の内径寸法より若干小さく、供給口７１の内径寸法より大きな直径を有する球体である。
【００２９】
＜キャップ体＞
キャップ体１は、図１および図３に示すように、略円環状のキャップ本体１１を有している。キャップ本体１１は、給水器本体３の取付筒部３６の内周面に設けられた雌ねじ３７の内径寸法に等しい外径寸法に形成されている。キャップ本体１１の一端側には、有底円筒状の嵌合凸部１２が同心状に設けられている。嵌合凸部１２は、キャップ本体１１の内径寸法に等しい外径寸法に形成されている。嵌合凸部１２の基端側の開口縁１３は、キャップ本体１１の内縁に周方向に亘って接続されている。嵌合凸部１２は、多孔質材６の外径寸法より大きい外径寸法であって、給水具５の給水口５２の内径寸法と略等しい外径寸法に形成され、この給水具５の給水口５２に嵌合させて係止可能な形状となっている。
【００３０】
嵌合凸部１２の底部１４には、小さな円形状の挿通部である挿通口１５が同心上に設けられている。挿通口１５は、多孔質材６の外径寸法より小さな内径寸法に形成されている。挿通口１５は、挿通口１５からの多孔質材６の通過を阻止し、飲料水Ｗのみを通過する構成となっている。
【００３１】
そして、キャップ体１は、嵌合凸部１２を給水具５の給水口５２に嵌合させてから、給水具５の給水口５２を給水器本体３の取付筒部３６に嵌合させてねじ止めすることによって、給水具５の給水口５２と給水器本体３の取付筒部３６との間に取り付けられる。
【００３２】
＜利用方法＞
次に、上記第１実施形態に係るキャップ体１を用いたペット用飲料器２の利用方法（組み立て動作）について説明する。
【００３３】
まず、給水具５の給水口５２を上側に向けた状態とする。この状態で、複数個の多孔質材６を給水口５２から充填するとともに、所定量の飲料水Ｗを注ぎ込む。次いで、給水具５の給水口５２に、キャップ体１の嵌合凸部１２を嵌合させて取り付ける。この状態のまま、給水具５の給水口５２に給水器本体３の取付筒部３６を嵌合させつつ、給水器本体３を回転させる等して、給水口５２の雄ねじ５３と取付筒部３６の雌めじ３７をねじ止めして、給水器本体３を給水具５に固定する。
【００３４】
そして、給水器本体３が取り付けられた給水具５の給水口５２を下向きにし、ペット用のゲージＡの外側から、ゲージＡを構成する格子状の線材に、給水器本体３の接触面部３３を接触させて、ペット用飲料器１の取付位置を定める。この状態で、ゲージＡの内側から取付ねじ４のねじ部４４を、給水器本体３の取付凹部３５に嵌合させるとともに、取付ねじ４のつまみ４２を把持してねじ部４４を回転させ、取付ねじ４のねじ部４４の雄ねじ４３を給水器本体３の取付凹部３５の雌ねじ３４にねじ止めし、取付ねじ４の基部４１と給水器本体３の接触面部３３との間にゲージＡの線材を締め付けて固定する。
【００３５】
この状態においては、図１および図２に示すように、給水具５に充填した飲料水Ｗが、給水具５の給水口５２からキャップ体１の挿通口１５を通過して、給水器本体３の保持部３２の内部へ流れていき、給水器本体３の保持部３２および給水管３８の内部が飲料水Ｗで満たされた状態となる。なお、ボール弁７２の自重によってステンレス管７の供給口７１が封止されるため、給水管３８内の飲料水Ｗがステンレス管７の供給口７１からこぼれない。このとき、給水具５に充填した多孔質材６は、自重や飲料水Ｗの流れにより給水具５の給水口５２側へ移動するものの、給水口５２に取り付けたキャップ体１の挿通口１５を通過できないため、給水具５の内部に留められた状態となる。
【００３６】
＜作用効果＞
この結果、例えば犬猫等のペットがペット用給水器２のステンレス管７の先端部をなめる等することにより、ステンレス管７内のボール弁７２が移動し、ステンレス管７の供給口７１が開口し、給水具５内の飲料水Ｗが供給口７１から放出され、飲料水Ｗを飲むことができる。そして、給水具５内の飲料水Ｗがステンレス管７の供給口７１から放出される場合には、給水具５の給水口５２と給水器本体３の取付筒部３６との間に取り付けたキャップ体１によって、給水具５の給水口５２からの多孔質材６の通過、すなわち流出を阻止しつつ、給水具５内の飲料水Ｗのみを通過させ給水器本体３に供給できる。
【００３７】
したがって、飲料水Ｗとともに多孔質材６を給水具５に充填した場合であっても、給水器本体３の取付筒部３６と給水具５の給水口５２との間に、多孔質材６の外径寸法より小さな内径寸法の挿通口１５を有するキャップ体１を介在させて、給水器本体３と給水具５とを接続することにより、多孔質材６による給水器本体３、特に給水管３８の目詰まりを確実に防止できる。
【００３８】
また同時に、飲料水Ｗとともに多孔質材６を給水具５に充填することによって、給水具５に充填した飲料水Ｗが多孔質材６にて浄化され水質の悪化が抑制される。よって、給水具５に多孔質材６を充填しない場合に比べ、飲料水Ｗとして使用可能な期間を長期化でき、飲料水Ｗの交換作業を少なくできるとともに、例えば気温が高い環境下で長時間に亘って放置した場合等に生じる、飲料水Ｗの水質の悪化を防止できる。また、多孔質材６を球状のセラミックボールとしたことにより、例えば粉末状の多孔質材の場合に比べ、給水具５の給水口５２への充填作業や、給水具５の給水口５２から取り出す作業等を容易にでき、多孔質材６の取扱いが容易になる。したがって、ペット用給水器１の使い勝手を向上できる。
【００３９】
特に、キャップ体１の嵌合凸部１２を給水具５の給水口５２に嵌合可能な形状とし、かつキャップ体１のキャップ本体１１を給水器本体３の取付筒部３６に嵌合可能な大きさとしている。したがって、飲料水Ｗおよび多孔質材６を給水具５に充填した状態で、給水具５の給水口５２にキャップ体１の嵌合凸部１２を嵌合することによって、給水具５の給水口５２からの多孔質材６の飛び出しを防止できる。
【００４０】
また、給水具５の給水口５２にキャップ体１の嵌合凸部１２を嵌合した状態で、給水具５の給水口５２を給水器本体３の取付筒部３６に嵌合させてねじ止めすることによって、給水器本体３の取付筒部３６と給水具５の給水口５２との間にキャップ体１を介在させつつ、給水器本体３の取付筒部３６と給水具５の給水口５２を接続できるため、キャップ体１を介在させた給水器本体３と給水具５との接続作業を容易にできる。
【００４１】
また、ペット、例えば犬猫がペット用給水器１のステンレス管７の先端部をなめる等した際にボール弁７２が移動することによって、ステンレス管７の供給口７１が開口し、供給口７１からステンレス管７の内部に外気、すなわち空気が取り込まれていき、この空気によって、キャップ体１の挿通口１５上の多孔質材６が押し上げられる。
【００４２】
さらに、キャップ体１の嵌合凸部１２の内径寸法を、多孔質材６の外径寸法の２倍より小さくし、図１に示すように、いずれか一つの多孔質材６がキャップ体１の挿通口１５に嵌合することによる、挿通口１５の詰まりを少なくしている。この結果、ペット用給水器１内に充填した飲料水Ａをペットが飲む状態における、キャップ体１の挿通口１５の多孔質材６による詰まりを少なくできる。
【００４３】
なお、上記第１実施形態においては、ペット用のゲージＡに取り付けるペット用給水器２にキャップ体１を用いた例について説明した。しかしながら、図４に示すように、例えばペットの散歩時に携帯等するための、ハンディータイプのペット用給水器２Ａ等の、市販のペットボトル飲料用の空ペットボトルを給水具として用いることが可能な種々のペット用給水器おいても、飲料水Ｗとともに多孔質材６を給水具５に充填して用いる場合には、上記第１実施形態に係るキャップ体１を用いることができる。
【００４４】
（第２〜第５実施形態）
また、上記第１実施形態に係るキャップ体１の挿通口１５の形状については、例えば、図５（ａ）に示す星型（第２実施形態）や、図５（ｂ）に示す三角形型（第３実施形態）、図５（ｃ）に示す四角形型（第４実施形態）等の多角形型としたり、複数、例えば６個の小孔を設けた図５（ｄ）に示す小孔型（第５実施形態）、あるいは複数、例えば２列の切溝を設けた図５（ｅ）に示す溝型（第６実施形態）等とすることもできる。すなわち、キャップ体１の挿通口１５の形状は、用いる多孔質材６の形状や大きさに対応させて、飲料水Ｗを通過し多孔質材６の通過を阻止できる形状であればよい。
【００４５】
（第６〜第７実施形態）
またさらに、挿通口１５の形状については、例えば、図６（ａ）に示す第６実施形態や、図６（ｂ）に示す第７実施形態のように、多孔質材６の通過を阻止できる大きさであれば、複数の小孔の内径寸法を可能な限り大きくし、飲料水Ｗの通過をより効率良くすることが好ましい。このとき、例えば、図６（ｂ）に示す第７実施形態のように、挿通口１５をキャップ体１の底部１４の中心に設けず、底部１４の中心からずらした位置のみに挿通口１５を構成する小孔を設けることにより、いずれか一つの多孔質材１による挿通口１５の中心に位置する小孔の閉塞を防止することができる。
【００４６】
また、上記第１実施形態においては、ペットがステンレス管７の先端部をなめる等した際にボール弁７２が移動して給水具５内の飲料水Ｗが供給口７１から放出されるペット用給水器２について説明したが、ペットが飲料水Ｗを飲んで飲料水Ｗの水面が低下した場合に、給水具５内の飲料水Ｗが流出する、いわゆる飲料水Ｗの表面張力を利用したペット用給水器等であっても、上記第１〜第７実施形態に係るキャップ体１を用いることができる。
【００４７】
（その他）
なお、本考案は前述した実施形態に限定されるものではなく、様々な変形態様が含まれる。例えば、前述した実施形態は、本考案を分りやすく説明するために説明したものであり、本考案は、必ずしも説明した全ての構成を備えるものに限定されるものではない。
【００４８】
さらに、上記各実施形態においては、市販のペットボトル飲料用の空ペットボトルを給水具５としたペット用給水器２，２Ａについて説明したが、空ペットボトル以外の、ペット用給水器２，２Ａ用の給水具５として専用設計したものでもよい。また、給水具本体３の形状についても、給水具５に充填した飲料水Ｗをペットに供給できる形状であれば、どのような形状であってもよい。
【符号の説明】
【００４９】
１    キャップ体（ペット用給水器用キャップ体）
１１  キャップ本体
１２  嵌合凸部
１３  開口縁
１４  底部
１５  挿通口（挿通部）
２，２Ａ    ペット用給水器
３    給水器本体
３１  本体部
３２  保持部
３３  接触面部
３４  雌ねじ
３５  取付凹部
３６  取付筒部（接続口）
３７  雌ねじ
３８  給水管
４    取付ねじ
４１  基部
４２  つまみ
４３  雄ねじ
４４  ねじ部
５    給水具（容器）
５１  容器本体
５２  給水口（開口）
５３  雄ねじ
６    多孔質材
７    ステンレス管
７１  供給口
７２  ボール弁
Ａ    ゲージ
Ｗ    飲料水
【図１】
0003194264.tif 000003
【図２】
0003194264.tif 000004
【図３】
0003194264.tif 000005
【図４】
0003194264.tif 000006
【図５】
0003194264.tif 000007
【図６】
0003194264.tif 000008